(57)【要約】      （修正有）【課題】少人数でも能率的に且つ均一に防水剤等の液体建築材料を塗布するが可能な液体建築材料の塗布装置の提供。【解決手段】防水剤等の液体建築材料を入れる容器２１と、この容器２１の下部に設けられた滴下穴２２、２３と、この滴下穴２２、２３の下方に設けられた塗布用ローラ３３、３４と、車輪３１とを備える。車輪３１は、最外径部分に針状部３２を備え、この針状部３２を接地させて被塗布面を移動する。このとき滴下穴２２、２３から滴下する液体建築材料は、上記の塗布用ローラ３３、３４で被塗布面に塗布される。【選択図】図１
0003138527.tif 000002
【実用新案登録請求の範囲】
【請求項１】
防水剤等の液体建築材料を入れる容器と、この容器の下部に設けられた滴下穴と、この滴下穴の下方に設けられた塗布用ローラとを備え、上記の車輪によって荷重を支持させた状態で容器を牽引して被塗布面を移動しながら上記の滴下穴から滴下する液体建築材料を上記の塗布用ローラで塗布することを特徴とする防水剤等の液体建築材料の塗布装置。
【請求項２】
上記の容器が牽引台に搭載され、この牽引台の下部に上記の車輪およびローラが設けられ、
上記車輪が最外径部分に針状部を備え、この針状部を接地させながら上記の牽引台が牽引されることを特徴とする請求項１記載の防水剤等の液体建築材料の塗布装置。
【請求項３】
上記のローラは、車輪の前方に設けられた前ローラと、車輪の後方に設けられた後ローラとを備え、この前後のローラの下端間を結ぶ線分よりも下方に上記の針状部の先端が位置することを特徴とする請求項２記載の防水剤等の液体建築材料の塗布装置。
【請求項４】
牽引台は、人が持って引くための牽引用の引手を備えたものであり、
上記の滴下穴は、前ローラの上方に形成された前滴下穴と、後ローラの上方に形成された後滴下穴とを備え、前滴下穴の合計開口面積が後滴下穴の合計開口面積よりも大きく、この装置の重心が上記の車輪よりも前方に位置することを特徴とする請求項３記載の防水剤等の液体建築材料の塗布装置。
【考案の詳細な説明】
【技術分野】
【０００１】
本願考案は、床面に対して防水剤等の建築用塗剤を効率的に塗布するための防水剤等の液体建築材料の塗布装置に関するものである。
【背景技術】
【０００２】
従来より、建築現場において、床面や屋上面に防水加工を施す場合、被塗布面に特許文献１に示すような塗布ローラで防水剤を塗布していた。この塗布ローラは、塗料の塗布ローラと実質的に同様であり、回転ローラを１５０cm程度の棒の先端に取り付けたものを用意し、作業者は二人一組で、一人が防水剤を被塗布面に杓ですくって撒き、もう一人が撒かれた防水剤を回転ローラで略均一に伸ばしていくという手間のかかる作業をおこなっていた。
【０００３】
【特許文献１】特開2005-118699号公報
【考案の開示】
【考案が解決しようとする課題】
【０００４】
本願考案は、一人でも能率的に且つ均一に防水剤等の液体建築材料を塗布するが可能な液体建築材料の塗布装置を提供せんとするものである。
【課題を解決するための手段】
【０００５】
本願の請求項１に係る考案は、防水剤等の液体建築材料を入れる容器と、この容器の下部に設けられた滴下穴と、この滴下穴の下方に設けられた塗布用ローラとを備え、上記の車輪によって荷重を支持させた状態で容器を牽引して被塗布面を移動しながら上記の滴下穴から滴下する液体建築材料を上記の塗布用ローラで塗布することを特徴とする防水剤等の液体建築材料の塗布装置を提供する。
本願の請求項２に係る考案は、上記の容器が牽引台に搭載され、この牽引台の下部に上記の車輪およびローラが設けられ、上記車輪が最外径部分に針状部を備え、この針状部を接地させながら上記の牽引台が牽引されることを特徴とする請求項１記載の防水剤等の液体建築材料の塗布装置を提供する。
本願の請求項３に係る考案は、上記のローラが、車輪の前方に設けられた前ローラと、車輪の後方に設けられた後ローラとを備え、この前後のローラの下端間を結ぶ線分よりも下方に上記の針状部の先端が位置することを特徴とする請求項２記載の防水剤等の液体建築材料の塗布装置を提供する。
本願の請求項４に係る考案は、牽引台は、人が持って引くための牽引用の引手を備えたものであり、上記の滴下穴は、前ローラの上方に形成された前滴下穴と、後ローラの上方に形成された後滴下穴とを備え、前滴下穴の合計開口面積が後滴下穴の合計開口面積よりも大きく、この装置の重心が上記の車輪よりも前方に位置することを特徴とする請求項３記載の防水剤等の液体建築材料の塗布装置を提供する。
【考案の効果】
【０００６】
本願考案は、少ない人数でも、能率的に且つ均一に防水剤等の液体建築材料を塗布するが可能な液体建築材料の塗布装置を提供することができたものである。
特に、車輪が最外径部分に針状部を備え、この針状部を接地させながら上記の牽引台が牽引されることによって、帯状の轍が被塗布面に残ることがなく、良好な塗布が完成する。
そして、車輪の前方に設けられた前ローラと、車輪の後方に設けられた後ローラとを備え、この前後のローラの下端間を結ぶ線分よりも下方に上記の針状部の先端が位置するため、車輪に荷重が支持されつつ、ローラによる均一な塗布が実現する。
また、上記の滴下穴は、前ローラの上方に形成された前滴下穴と、後ローラの上方に形成された後滴下穴とを備え、前滴下穴の合計開口面積が後滴下穴の合計開口面積よりも大きく、この装置の重心が上記の車輪よりも前方に位置することにより、前方の滴下穴から液体建築材料は前後のローラで押し広げられることができ、良好な塗布が実現する。
【考案を実施するための最良の形態】
【０００７】
以下図面に基づき本願考案の実施の形態を説明する。
この実施の形態にかかる防水剤等の液体建築材料の塗布装置は、下部に車輪３１を備えた牽引台１１と、この牽引台１１に搭載された防水剤等の液体建築材料を入れる容器２１と、この容器２１の下部に設けられた前滴下穴２２、後滴下穴２３と、この前滴下穴２２、後滴下穴２３の下方に設けられた前ローラ３３、後ローラ３４とを備える。
【０００８】
牽引台１１には、中央の下部の左右両側に車輪３１を備える。この車輪３１は、最外径部分に複数の針状部３２を備えるもので、この針状部３２を接地させながら引手１２を人が手で持って牽引する。通常の車輪やタイヤにあっては、塗布済みの液体建築材料ａの上に車輪の跡（轍）が帯状に残ってしまうが、針状部３２の場合には、痕跡ｂは図２に示すように、点状に残るだけであり、実質的にその痕跡が、防水などの問題となることはない。特に、この例では、車輪３１の後ろに、後ローラ３４が配位されているため、この後ローラ３４によって点状の痕跡ｂは消し去られてしまう。
【０００９】
牽引台１１は平面視四角形としているが、上部に容器２１、下部に車輪３１、前ローラ３３、後ローラ３４を設けることできれば、適宜変更して実施することができ、直接容器２１に、車輪３１、前ローラ３３、後ローラ３４を設けるようにしてもよい。
【００１０】
車輪３１は、牽引台１１の前後方向の略中央に設けられており、その前方に前ローラ３３が設けられ、その後方に後ローラ３４が設けられており、前ローラ３３と後ローラ３４との下端間を結ぶ線分よりも下方に上記の車輪３１の針状部３２先端が位置する。
【００１１】
容器２１は、上面が開放された立方体又は直方体などの形状が適しているが、液体建築材料を収納できるものであれば適宜変更し得る。容器２１の底部には、滴下穴が形成されている。この滴下穴は、前ローラ３３の上方に形成された前滴下穴２２と、後ローラ３４の上方に形成された後滴下穴２３とを備えている。前滴下穴２２、後滴下穴２３は、前ローラ３３、後ローラ３４の略前長に渡って左右方向に並べて形成されている。これにより、液体建築材料をローラに供給して、被塗布面に塗布する。なお、後ローラ３４を設けずに実施する事もでき、他方、中央にも滴下穴を設けるなど、適宜変更できる。その大きさや個数、位置は、被塗布面に適量の液体建築材料を供給できるもであればよい。
【００１２】
前ローラ３３、後ローラ３４は、ペイント用ローラと同様に、外周面にスポンジや不織布などの柔軟な吸収材料を配置することが望ましいが、滴下する液体建築材料を塗布して広げることができるものであればよい。
【００１３】
なお、前後に滴下穴を設ける場合、前滴下穴２２の合計開口面積が後滴下穴２３の合計開口面積よりも大きいことが望ましく、前側で十分な量の液体建築材料を供給できるようにすることが望ましい。また、この装置全体の重心が中央の車輪３１よりも前方に位置することによって、主たる供給口となる前滴下穴２２側において、確実に被塗布面に前ローラ３３が接地して、塗布することができる。
【００１４】
次にこの実施の形態の使用方法について説明する。まず、建築現場の屋上面などの被塗布面に不織布シートを敷いて、その上面から防水剤を塗布する。その際、必要な防水剤を容器２１に入れて、作業者が引手１２を持って、前進する。作業者は後向きで塗布状況を確認しながら前進すればよいが、その作業状態は適宜変更し得る。この作業によって、防水剤は前滴下穴２２及び後滴下穴２３から滴下し、前ローラ３３、後ローラ３４によって被塗布面に均一に広げられ塗布される。これにより、広い面積であっても、少ない作業者で、均一で迅速な塗布が可能となるものである。
【００１５】
なお、前ローラ３３、後ローラ３４に加えて、さらに他のローラを用いてもよい。特に、他のローラを付加することによって、型押し用のローラなどで仕上げを行なうことができる。
【図面の簡単な説明】
【００１６】
【図１】本願考案の実施の形態に係る側面図である。
【図２】同使用状態を示す平面図である。
【符号の説明】
【００１７】
１１牽引台
１２引手
２１容器
２２前滴下穴
２３後滴下穴
３１車輪
３２針状部
３３前ローラ
３４後ローラ
【図１】
0003138527.tif 000003
【図２】
0003138527.tif 000004